(57)【要約】【課題】凝縮器用フィルターや清掃ブラシの架台への取付を容易に行え、しかも、清掃ブラシを有しない既存のショーケースへ清掃ブラシの後付けを容易に行えるフィルター清掃装置を提供する。【解決手段】ショーケース本体２の下側に配置された架台３の正面側に取付けられ、複数の通気孔を有する正面カバー６と、正面カバーに取付けられてこの正面カバーを架台の正面側に取付けた場合に凝縮器の正面側に対向して位置する凝縮器用フィルター１１と、正面カバーに凝縮器用フィルターの手前側に位置して左右方向スライド可能に取付けられた清掃ブラシ１２とを有する。【選択図】図５
2020204415.tif 000002
【特許請求の範囲】
【請求項１】
ショーケース本体に配置されて少なくとも凝縮器とファンとを収容する架台の正面側に取付けられ、複数の通気孔を有する正面カバーと、
前記正面カバーに取付けられ、この正面カバーを前記架台の正面側に取付けた場合に前記凝縮器の正面側に対向して位置する凝縮器用フィルターと、
前記正面カバーに前記凝縮器用フィルターの手前側に位置して左右方向スライド可能に取付けられ、スライド時に撓んだ状態で前記凝縮器用フィルターに当たる複数のブラシ毛を有してこれらのブラシ毛により前記凝縮器用フィルターに捕捉されている塵埃を除去する清掃ブラシと、
を有することを特徴とするフィルター清掃装置。
【請求項２】
前記凝縮器用フィルターの少なくとも左右方向の一端側に設けられ、スライドする前記清掃ブラシの前記ブラシ毛が当たることによりこのブラシ毛に付着している塵埃を除去するリムーバを有することを特徴する請求項１記載のフィルター清掃装置。
【請求項３】
前記架台の下部側に設けられて上向きに突出した爪部と、前記正面カバーの下縁側に設けられて前記爪部が挿入される爪孔と、前記架台に取付けられて前記正面カバーを吸着するマグネットとを有することを特徴とする請求項１又は２記載のフィルター清掃装置。
【請求項４】
前記凝縮器用フィルターは、平板に複数のパンチング孔が形成されていることを特徴とする請求項１ないし３のいずれか一項に記載のフィルター清掃装置。
【発明の詳細な説明】
【技術分野】
【０００１】
本発明は、ショーケース本体の下側に凝縮器やファンを収容した架台を備えたショーケースにおいて、凝縮器に塵埃が付着することを防止する凝縮器用フィルターを清掃するためのフィルター清掃装置に関する。
【背景技術】
【０００２】
従来、スーパーマーケットやコンビニエンスストア等の店舗内には様々な形式のショーケースが設置されている。このようなショーケースの一例として、商品陳列室を有するショーケース本体と、ショーケース本体の下側に配置された架台とを有し、架台内に冷凍機ユニットの一部である凝縮器やファンを収容したものが知られている。このショーケースにおいては、凝縮器を冷却する空気を架台内に吸い込んだ場合に空気中に含まれる塵埃が凝縮器に付着することを防止するため、冷却空気の吸込方向に沿った凝縮器の上流側に凝縮器用フィルターが設けられている。そして、この凝縮器用フィルターの清掃を、清掃ブラシをスライドさせることにより行うようにしたショーケースの一例として、下記特許文献１に記載されたものが知られている。
【０００３】
特許文献１に記載されたショーケースにおいては、架台内に凝縮器用フィルターと清掃ブラシとが取付けられ、これらの凝縮器用フィルターと清掃ブラシとを覆う正面カバー（外装グリル）が架台に取付けられている。正面カバーには、左右方向に長い長尺状のスリットが形成されており、このスリットには、清掃ブラシに設けられた取手部がスライド可能に挿通されている。
【先行技術文献】
【特許文献】
【０００４】
【特許文献１】特開２０１９-３９５７３号公報
【発明の概要】
【発明が解決しようとする課題】
【０００５】
特許文献１に記載されたショーケースにおいては、凝縮器用フィルターや清掃ブラシや正面カバーを架台に次々と取付けるため、その取付けに手間がかかっている。また、清掃ブラシや正面カバーの取付位置精度が悪いと、清掃ブラシをスムーズにスライドさせることができなくなる。
【０００６】
ここで、既存のショーケースでは、凝縮器用フィルターを清掃する場合にその凝縮器用フィルターを架台から取外して行っている。このため、凝縮器用フィルターの清掃には手間がかかっている。このような既存のショーケースにスライドする清掃ブラシを後付けしようとすると、凝縮器用フィルターを所定位置に保持する部材や、清掃ブラシをスライド可能に保持する部材を新たに設けなければならず、その後付け作業には多大な手間がかかることになる。
【０００７】
本発明はこのような課題を解決するためになされたものであり、その目的は、凝縮器用フィルターや清掃ブラシの架台への取付けを容易に行え、しかも、清掃ブラシを有しない既存のショーケースへの後付けを容易に行うことができるフィルター清掃装置を提供することである。
【課題を解決するための手段】
【０００８】
本発明に係るフィルター清掃装置は、ショーケース本体に配置されて少なくとも凝縮器とファンとを収容する架台の正面側に取付けられた正面カバーを有する。この正面カバーには、架台内の凝縮器の正面側に対向して位置する凝縮器用フィルターと、左右方向にスライド可能であってスライド時に凝縮器用フィルターに付着した塵埃を除去する清掃ブラシとが取付けられている。
【０００９】
また、前述のフィルター清掃装置において、前記凝縮器用フィルターの少なくとも左右方向の一端側に設けられ、スライドする前記清掃ブラシのブラシ毛が当たることによりこのブラシ毛に付着している塵埃を除去するリムーバを有することが望ましい。
【００１０】
また、前述のフィルター清掃装置において、前記架台の下部側に設けられて上向きに突出した爪部と、前記正面カバーの下縁側に設けられて前記爪部が挿入される爪孔と、前記架台に取付けられて前記正面カバーを吸着するマグネットとを有することが望ましい。
【００１１】
また、前述のフィルター清掃装置において、前記凝縮器用フィルターは、平板に複数のパンチング孔が形成されていることが望ましい。
【発明の効果】
【００１２】
本発明に係るフィルター清掃装置は、正面カバーに凝縮器カバーと清掃ブラシとが取付けられてユニット化されており、そのユニット化されたフィルター清掃装置を一回の取付作業によって架台に取付けることができる。このため、架台へのフィルター清掃装置の取付けを、手間をかけず容易に行うことができる。特に、清掃ブラシを有しない既存のショーケースに対して清掃ブラシを含むフィルター清掃装置を後付けする場合には、その取付作業を容易に行うことができる。
【００１３】
また、左右方向へスライドさせた清掃ブラシのブラシ毛がリムーバに当たることにより、ブラシ毛に付着している塵埃を清掃ブラシから除去することができ、清掃ブラシを清掃することなく長期間にわたって使用することができる。
【００１４】
また、フィルター清掃装置の架台への取付けは、正面カバーの下縁部に形成された爪孔に爪部を挿入し、ついで、正面カバーを架台側へ回動させて正面カバーをマグネットで吸着させることにより、容易に行うことができる。
【００１５】
また、凝縮器用フィルターは、平板に複数のパンチング孔が形成されているものであるため表面が平滑であり、清掃ブラシをスライドさせて凝縮器用フィルターから塵埃を除去する場合、メッシュ形式のフィルターに比べて塵埃の除去を円滑に行える。さらに、メッシュ形式のフィルターに比べてへたり難いので、清掃ブラシによる塵埃の除去を長期間に渡って良好に行える。
【図面の簡単な説明】
【００１６】
【図１】冷凍機内蔵型のショーケースを示す正面図である。
【図２】フィルター清掃装置とマグネット取付レールとを示す正面図である。
【図３】フィルター清掃装置とマグネット取付レールとを示す正面側から見た斜視図である。
【図４】フィルター清掃装置とマグネット取付レールとを示す背面側から見た斜視図である。
【図５】フィルター清掃装置とマグネット取付レールとを示す断面側面図である。
【図６】図２からフィルター前面カバーを外した状態を示す正面図である。
【図７】図６から正面カバーを除いた状態の一部を示す斜視図である。
【発明を実施するための形態】
【００１７】
本発明の一実施形態について、図面に基づいて説明する。図１は、スーパーマーケットやコンビニエンスストア等の店舗内に設置される冷凍機内蔵型のショーケース１を示す正面図である。このショーケース１は、ショーケース本体２と、ショーケース本体２が載置される架台３とを有している。ショーケース本体２の内部には販売する商品が陳列される商品陳列室（図示せず）が形成され、架台３の内部には冷凍機ユニットを構成する部品である、凝縮器、ファン、圧縮機（いずれも図示せず）等が収容されている。
【００１８】
図２ないし図７は、架台３の正面側に取付けられるフィルター清掃装置４とマグネット取付レール５とを示しており、図２は正面図、図３は正面側から見た斜視図、図４は背面側から見た斜視図、図５は断面側面図である。ここで、フィルター清掃装置４は正面カバー６を有し、この正面カバー６に、フィルター前面カバー７、スライド固定金具８、フィルター支え裏板９、ガイドレール１０、凝縮器用フィルター１１、清掃ブラシ１２等を取付けることによりユニット化されている。なお、図６は図２からフィルター前面カバー７を外した状態の正面図、図７は図６から正面カバー６を除いた状態の一部を示す斜視図である。
【００１９】
マグネット取付レール５は、左右方向に延出する長尺状の部材であり、ショーケース本体２の底面部にネジ止めされている。そして、このマグネット取付レール５の両端側にはフィルター清掃装置４を吸着固定するためのマグネット１３が取付けられている。
【００２０】
正面カバー６の中央部には、この正面カバー６の一部であるフィルター前面カバー７    が取付けられている。フィルター前面カバー７は凝縮器の正面に対向する位置に配置され、架台３内のファンが駆動されることにより架台３内に吸い込まれる空気が通過する複数の通気孔１４が形成されている。フィルター前面カバー７の取付けは、スライド固定金具８に取付けられたマグネット１５に吸着されることにより行われている。
【００２１】
フィルター清掃装置４が取付けられる領域における架台３の下部側には、図５に示すように上向きに突出する爪部１６が形成されており、正面カバー６の下縁部には爪部１６が挿入される爪孔１７が形成されている。そして、架台３へのフィルター清掃装置４の取付けは、爪部１６を爪孔１７に挿入し、ついで、フィルター清掃装置４の上部側を架台３側に回動させ、正面カバー６をマグネット１３に吸着させることにより行われている。
【００２２】
フィルター前面カバー７の裏面側には、図６に示すように、左右一対のスライド固定金具８と、フィルター支え裏板９と、凝縮器用フィルター１１とが取付けられ、左右のスライド固定金具８の間には左右方向に延出するガイドレール１０が連結されている。
【００２３】
凝縮器用フィルター１１は、金属板等の平板に複数のパンチング孔１８が形成されたものであり、架台３内に吸い込まれて凝縮器を冷却する空気中に含まれる塵埃をパンチング孔１８の縁部に引っ掛けて捕捉するようになっている。そして、その表面はメッシュ形式のフィルターに比べて、平滑に形成されている。凝縮器用フィルター１１の左右方向の端部には、外側に向けて櫛歯状に突出したリムーバ１９が形成されている。
【００２４】
ガイドレール１０には、左右方向スライド可能に清掃ブラシ１２が取付けられている。清掃ブラシ１２には、スライド時に撓んだ状態で凝縮器用フィルター１１の表面に当たり、凝縮器用フィルター１１に捕捉されている塵埃を凝縮器用フィルター１１から除去する多数のブラシ毛１２ａが設けられている。また、清掃ブラシ１２には、この清掃ブラシ１２を左右方向にスライドさせる場合に把持するスライド操作部２０が設けられている。スライド操作部２０は、正面カバー６とフィルター前面カバー７とによって形成された左右方向に長い開口２１内にスライド可能に挿通されている。
【００２５】
清掃ブラシ１２が左右方向にスライドすることにより凝縮器用フィルター１１に捕捉されていた塵埃が清掃ブラシ１２のブラシ毛１２ａに付着し、ブラシ毛１２ａに付着した塵埃はリムーバ１９によりブラシ毛１２ａから除去されるようになっている。リムーバ１９によるブラシ毛１２ａからの塵埃の除去は、リムーバ１９を超えて凝縮器用フィルター１１の端部までスライドした清掃ブラシ１２を逆向きにスライドさせて中央側に戻す場合に、ブラシ毛１２ａがリムーバ１９の突起側に当たることにより行われる。
【００２６】
このような構成において、このフィルター清掃装置４を備えたショーケース１では、凝縮器を冷却する空気が架台３内に吸い込まれ、架台３内に吸い込まれる空気中に含まれている塵埃が凝縮器用フィルター１１のパンチング孔１８の縁部に引っ掛かって補足される。凝縮器用フィルター１１に捕捉された塵埃が一定量に達した場合には、スライド操作部２０を把持して清掃ブラシ１２を左右方向にスライドさせる。このスライド操作により、凝縮器用フィルター１１に捕捉されている塵埃が清掃ブラシ１２により凝縮器用フィルター１１から除去される。凝縮器用フィルター１１から除去された塵埃は清掃ブラシ１２のブラシ毛１２ａに付着し、ブラシ毛１２ａに付着した塵埃は、ブラシ毛１２ａがリムーバ１９に当たることによりブラシ毛１２ａから除去される。ブラシ毛１２ａから除去された塵埃は、ショーケース１が設置されている床面上に落下する。
【００２７】
ここで、フィルター清掃装置４は、正面カバー６にフィルター前面カバー７、スライド固定金具８、フィルター支え裏板９、ガイドレール１０、凝縮器用フィルター１１、清掃ブラシ１２等の部品を取付けることによりユニット化されている。そして、このユニット化されたフィルター清掃装置４を架台３へ取付ける場合には、まず、マグネット１３を取付けたマグネット取付レール５を架台３内に取付ける。ついで、架台３に形成された爪部１６を正面カバー６の爪孔１７に挿入し、フィルター清掃装置４の上部側を架台３に向けて回動させ、正面カバー６をマグネット１３で吸着させることにより行う。このため、フィルター清掃装置４の架台３への取付けを、凝縮器用フィルター１１や清掃ブラシ１２等の部品間の位置合わせに手間をかけることなく、容易に行うことができる。
【００２８】
つぎに、スライドする清掃ブラシを有さず、凝縮器用フィルターを架台から取外して清掃する既存のショーケースにおいて、スライドする清掃ブラシ１２を容易に後付けすることができる。この後付け作業は、まず、既存のショーケースの架台から既存の正面カバーや凝縮器用フィルター等を取り外す。この取り外しが終了した後、取り外しを行った箇所へ、マグネット取付レール５を取付け、ついで、ユニット化されているフィルター清掃装置４が付いている正面カバー６を取付ける。このため、既存のショーケースへのスライドする清掃ブラシ１２の後付けを、手間をかけず容易に行うことができる。
【００２９】
凝縮器用フィルター１１は、平板にパンチング孔１８を形成したものであり、表面が平滑に構成されている。この構成は、パンチング孔１８の縁部に引っ掛かっている塵埃をスライドする清掃ブラシ１２により除去しやすい構成であり、凹凸があるメッシュ形式のフィルターに比べて塵埃の除去を円滑に行える。さらに、平板にパンチング孔１８を形成した凝縮器用フィルター１１はメッシュ形式のフィルターに比べてへたり難いので、清掃ブラシによる塵埃の除去を長期間に渡って良好に行うことができる。
【符号の説明】
【００３０】
１    ショーケース
２    ショーケース本体
３    架台
４    フィルター清掃装置
５    マグネット取付レール
６    正面カバー
７    フィルター前面カバー
８    スライド固定金具
９    フィルター支え裏板
１０    ガイドレール
１１    凝縮器用フィルター
１２    清掃ブラシ
１２ａ  ブラシ毛
１３    マグネット
１４    通気孔
１５    マグネット
１６    爪部
１７    爪孔
１８    パンチング孔
１９    リムーバ
２０    スライド操作部
２１    開口
【図１】
2020204415.tif 000003
【図２】
2020204415.tif 000004
【図３】
2020204415.tif 000005
【図４】
2020204415.tif 000006
【図５】
2020204415.tif 000007
【図６】
2020204415.tif 000008
【図７】
2020204415.tif 000009